(57)【要約】【課題】使用者が手動で開閉しなくともＵＳＢプラグの挿入に伴って開き、該ＵＳＢプラグを抜くと自動的に閉鎖されるカバー付きＵＳＢコネクタを提供する。【解決手段】ＵＳＢプラグ１０が挿通可能な矩形の開口部２０を有する前面パネル２と、前記前面パネル２の背後に、受口が前記開口部２０よりも後退した位置となるように配設されたＵＳＢレセプタクル４と、前記ＵＳＢレセプタクル４の各長辺に沿って、各先端部が共に前記開口部２０に出没可能となるよう揺動自在に配設され、該各先端部が前記開口部２０に突入することにより前記開口部２０を閉鎖し、該各先端部が前記開口部２０から後退することにより前記開口部２０を開放する一対のコネクタカバー５，５と、前記各コネクタカバー５，５をそれらの先端部が常に前記開口部２０に向かう方向に付勢するコイルスプリング７，７（付勢手段）と、を備えている。【選択図】図２
0003204316.tif 000002
【実用新案登録請求の範囲】
【請求項１】
ＵＳＢプラグが挿通可能な矩形の開口部を有する前面パネルと、
前記前面パネルの背後に、受口が前記開口部よりも後退した位置となるように配設されたＵＳＢレセプタクルと、
前記ＵＳＢレセプタクルの各長辺に沿って、各先端部が共に前記開口部に出没可能となるよう揺動自在に配設され、該各先端部が前記開口部に突入することにより前記開口部を閉鎖し、該各先端部が前記開口部から後退することにより前記開口部を開放する一対のコネクタカバーと、
前記各コネクタカバーをそれらの先端部が常に前記開口部に向かう方向に付勢する付勢手段と、
を備えていることを特徴とするカバー付きＵＳＢコネクタ。
【請求項２】
請求項１に記載のカバー付きＵＳＢコネクタにおいて、
前記ＵＳＢレセプタクルの各短辺の側方にそれぞれ配設されるとともに、前記ＵＳＢプラグの挿脱方向に沿って延設された枢着溝を有する揺動基部をさらに備え、
前記コネクタカバーは、前記枢着溝と揺動自在及び摺動自在に係合される枢着部を備えていることを特徴とするカバー付きＵＳＢコネクタ。
【請求項３】
ＵＳＢプラグが挿通可能な矩形の開口部を有する前面パネルと、
前記前面パネルの背後に、受口が前記開口部よりも後退した位置となるように配設されたＵＳＢレセプタクルと、
前記開口部の各長辺部に、前記前面パネルの背後から前記開口部に向かって傾斜した姿勢で、且つ、各先端部が共に前記開口部に出没可能となるよう摺動可能に配設され、該各先端部が前記開口部に突入することにより前記開口部を閉鎖し、該各先端部が前記開口部から後退することにより前記開口部を開放する一対のコネクタカバーと、
前記各コネクタカバーをそれらの先端部が常に前記開口部に向かう方向に付勢する付勢手段と、
を備えていることを特徴とするカバー付きＵＳＢコネクタ。
【請求項４】
請求項１乃至３のいずれか１つに記載のカバー付きＵＳＢコネクタにおいて、
前記コネクタカバーには、その先端面に、挿入される前記ＵＳＢプラグの先端を受容する凹陥部が形成され、該凹陥部は、その底面が、これらコネクタカバー同士の衝合縁に向かって傾斜する傾斜面とされたことを特徴とするカバー付ＵＳＢコネクタ。
【考案の詳細な説明】
【技術分野】
【０００１】
本考案は、カバー付きＵＳＢコネクタに関する。
【背景技術】
【０００２】
従来、ＵＳＢ（Ｕｎｉｖｅｒｓａｌ  Ｓｅｒｉａｌ  Ｂｕｓ）コネクタなどのＩ／Ｏコネクタの中には、外部から埃等の異物が侵入することを防ぐためにカバーや蓋などが設けられたものが存在する。
【０００３】
例えば、特許文献１には、少なくとも１つのユニバーサル・シリアル・バス・ソケット開口部が設けてある筐体と、該筐体内に対応して結合した少なくとも１つの回路板と、該筐体下方に結合し、かつ少なくとも１つの該回路板と接続した２つの電極線コネクタと、該筐体のユニバーサル・シリアル・バス・ソケット開口部に対応して結合し、かつ少なくとも１つの回路板と電気的に接続する少なくとも１つのユニバーサル・シリアル・バス・ソケットと、該筐体上に配置され、少なくとも１つの該回路板と電気的に接続し、電源のオンオフ状態を示す電源ランプを含み、該上筐体上の少なくとも１つのユニバーサル・シリアル・バス・ソケット開口部に、保護用の保護カバーがさらに設けてあるスイッチ型充電器構造が記載されている。
【０００４】
また特許文献２には、家具に装着する電源コンセントであって、略長方形状のコンセント本体に、その長手方向の両端から突出する取付片を設け、且つ、前記コンセント本体の上部に少なくとも、プラグ差込口とＵＳＢポートとを設け、且つ、前記ＵＳＢポートに基盤を連結し、前記プラグ差込口に、これを常時閉じるスライド可能な閉鎖板を備えると共に前記ＵＳＢポートに、これを開閉するスライド板を備えた家具用電源コンセントが記載されている。
【先行技術文献】
【特許文献】
【０００５】
【特許文献１】実用新案登録第３１５３７９４号公報
【特許文献２】実用新案登録第３１７２２３６号公報
【考案の概要】
【考案が解決しようとする課題】
【０００６】
しかしながら上記従来のカバー付きＵＳＢコネクタは、ＵＳＢプラグを抜差しする度に該カバーを使用者の手で開閉しなくてはならず、取り扱いが煩雑であった。また、ＵＳＢプラグを抜いた後にカバーを閉め忘れると、そこから埃等の異物が侵入する虞があった。
【０００７】
本考案は上記の課題に鑑みなされたもので、その目的は使用者が手動で開閉しなくともＵＳＢプラグの挿入に伴って開き、該ＵＳＢプラグを抜くと自動的に閉鎖されるカバー付きＵＳＢコネクタを提供することである。
【課題を解決するための手段】
【０００８】
上記目的を達するために、本考案は次のとおりの構成としている。
【０００９】
本考案のカバー付きＵＳＢコネクタは、ＵＳＢプラグが挿通可能な開口部を有する前面パネルと、前記前面パネルの背後に、受口が前記開口部よりも後退した位置となるように配設されたＵＳＢレセプタクルと、前記ＵＳＢレセプタクルの各長辺に沿って各先端部が共に前記開口部に出没可能となるよう揺動自在に配設され、該各先端部が前記開口部に突入することにより前記開口部を閉鎖し、該各先端部が前記開口部から後退することにより前記開口部を開放する一対のコネクタカバーと、前記各コネクタカバーをそれらの先端部が常に前記開口部に向かう方向に付勢する付勢手段と、を備えていることを特徴としている。
【００１０】
この構成によれば、ＵＳＢプラグの先端部を押し入れることで該先端部がコネクタカバーを割り開き、それに伴い、コネクタカバーが付勢手段の付勢力に逆らって揺動することによって開口部が開放されるため、ＵＳＢプラグを挿す前に一々コネクタカバーを手で開いておかなくても、ＵＳＢプラグをＵＳＢレセプタクルに挿入することができる。また、ＵＳＢプラグを引き抜くと、付勢手段の付勢力によりコネクタカバーが自動的に開口部に突入して該開口部が閉鎖されるため、ＵＳＢプラグを抜いた後に開口部が開いたままになることがなく、コネクタカバーの閉め忘れに起因する埃等の異物の侵入を確実に防止することができる。
【００１１】
また、上記カバー付きＵＳＢコネクタは、前記ＵＳＢレセプタクルの各短辺の側方にそれぞれ配設されるとともに、前記ＵＳＢプラグの挿脱方向に沿って延設された枢着溝を有する揺動基部をさらに備え、前記コネクタカバーは、前記枢着溝と揺動自在及び摺動自在に係合される枢着部を備えていてもよい。
【００１２】
この構成によれば、開口部を開放する際、コネクタカバーが揺動するとともにＵＳＢプラグの挿脱方向に向かって摺動することから、該コネクタカバーはより小さい揺動幅で開口部から後退することができるため、該開口部のサイズを小さく抑えることができる。
【００１３】
また、本考案のカバー付きＵＳＢコネクタは、ＵＳＢプラグが挿通可能な矩形の開口部を有する前面パネルと、前記前面パネルの背後に、受口が前記開口部よりも後退した位置となるように配設されたＵＳＢレセプタクルと、前記開口部の各長辺部に、前記前面パネルの背後から前記開口部に向かって傾斜した姿勢で、且つ、各先端部が共に前記開口部に出没可能となるよう摺動可能に配設され、該各先端部が前記開口部に突入することにより前記開口部を閉鎖し、該各先端部が前記開口部から後退することにより前記開口部を開放する一対のコネクタカバーと、前記各コネクタカバーをそれらの先端部が常に前記開口部に向かう方向に付勢する付勢手段と、を備えていてもよい。
【００１４】
この構成によっても、ＵＳＢプラグの先端部を押し入れることで該先端部がコネクタカバーを割り開き、それに伴い、コネクタカバーが付勢手段の付勢力に逆らって摺動することによって開口部が開放されるため、ＵＳＢプラグを挿す前に一々コネクタカバーを手で開いておかなくても、ＵＳＢプラグをＵＳＢレセプタクルに挿入することができる。また、ＵＳＢプラグを引き抜くと、付勢手段の付勢力によりコネクタカバーが自動的に開口部に突入して該開口部が閉鎖されるため、ＵＳＢプラグを抜いた後に開口部が開いたままになることがなく、コネクタカバーの閉め忘れに起因する埃等の異物の侵入を確実に防止することができる。さらに、この構成によれば、より簡易な構造により、容易に当該カバー付きＵＳＢコネクタを製造することができる。
【００１５】
また、上記のいずれかのカバー付きＵＳＢコネクタは、前記コネクタカバーには、その先端面に、挿入される前記ＵＳＢプラグの先端を受容する凹陥部が形成され、該凹陥部は、その底面が、これらコネクタカバー同士の衝合縁に向かって傾斜する傾斜面とされていてもよい。
【００１６】
この構成によれば、ＵＳＢプラグをＵＳＢコネクタに挿入する際、よりスムーズにＵＳＢプラグの先端でコネクタカバーを押し開くことができる。
【考案の効果】
【００１７】
本考案によれば、使用者が手動で開閉しなくともＵＳＢプラグの挿入に伴って開き、該ＵＳＢプラグを抜くと自動的に閉鎖されるカバー付きＵＳＢコネクタを提供することができる。
【図面の簡単な説明】
【００１８】
【図１】本考案の第１の実施形態に係るカバー付きＵＳＢコネクタを備えた筐体の斜視図である。
【図２】図１におけるII−II線に沿う断面図である。
【図３】図１のカバー付きＵＳＢコネクタを備えた筐体の分解斜視図である。
【図４】図３のカバー付きＵＳＢコネクタを備えた筐体の分解斜視図の一部分を拡大した図である。
【図５】図１におけるＶ−Ｖ線に沿う断面図である。
【図６】図１のカバー付きＵＳＢコネクタにＵＳＢプラグを挿入した際の断面図である。
【図７】本考案の第２の実施形態に係るカバー付きＵＳＢコネクタを備えた筐体の斜視図である。
【図８】図７におけるVIII−VIII線に沿う断面図である。
【図９】図７のカバー付きＵＳＢコネクタを備えた筐体の分解斜視図である。
【図１０】図７のカバー付きＵＳＢコネクタにＵＳＢプラグを挿入した際の断面図である。
【考案を実施するための形態】
【００１９】
以下、本考案に係るカバー付きＵＳＢコネクタの実施形態について、図に基づいて詳しく説明する。
【００２０】
＜第１実施形態＞
図１は、本考案の第１の実施形態に係るカバー付きＵＳＢコネクタを備えた筐体の斜視図である。図２は、図１におけるII−II線に沿う断面図である。図３は、図１のカバー付きＵＳＢコネクタを備えた筐体の分解斜視図である。図４は、図３のカバー付きＵＳＢコネクタを備えた筐体の分解斜視図の一部分を拡大した図である。図５は、図１におけるＶ−Ｖ線に沿う断面図である。図６は、図１のカバー付きＵＳＢコネクタにＵＳＢプラグを挿入した際の断面図である。
【００２１】
−カバー付きＵＳＢコネクタ１の構成−
【００２２】
本実施形態では、一つのＵＳＢレセプタクルを備えた扁平な直方体状の筐体に本考案を適用した場合を示している。このカバー付きＵＳＢコネクタ１は、図１乃至６に示すように、ＵＳＢプラグ１０が挿通可能な開口部２０を有する前面パネル２と、前面パネル２の背後に、受口が開口部２０よりも後退した位置となるように配設されたＵＳＢレセプタクル４と、ＵＳＢレセプタクル４の各長辺に沿って各先端部が共に開口部２０に出没可能となるよう揺動自在に配設され、該各先端部が開口部２０に突入することにより開口部２０を閉鎖し、該各先端部が開口部２０から後退することにより開口部２０を開放する一対のコネクタカバー５，５と、各コネクタカバー５，５をそれらの先端部が常に開口部２０に向かう方向に付勢するコイルスプリング７，７（付勢手段）と、を備えている。以下、各部について詳述する。
【００２３】
筐体３は、上面が開口した本体３ａと、この本体３ａの上面開口を閉塞する蓋体３ｂとから構成されており、蓋体３ｂの天面が本考案における前面パネル２に相当する。本体３ａの四隅にはそれぞれネジ挿通筒３０が設けられる一方、蓋体３ｂの四隅にはそれらネジ挿通筒３０と対応する位置に雌ネジ部２１が設けられており、本体３ａの底面側からネジ挿通筒３０に固定ネジ３１を挿通してそれらを雌ネジ部２１に螺入することで本体３ａと蓋体３ｂとが一体化されるようになっている。また、本体３ａの底面中央部には、一対のＵＳＢレセプタクル嵌装部３２，３２が立設されるとともに、これらＵＳＢレセプタクル嵌装部３２，３２を結ぶ線と直交するように一対のカバー取付基盤固定柱３３，３３が立設されている。ＵＳＢレセプタクル嵌装部３２，３２には相互に対峙する面にそれぞれ縦溝３２ａが設けられており、ＵＳＢレセプタクル４に取着されたプリント配線基板４ａの両側縁部がこれら縦溝３２ａ，３２ａ内に嵌入固定されるようになっている。一方、蓋体３ｂの天面、すなわち前面パネル２には、前記した開口部２０が、ＵＳＢレセプタクル嵌装部３２，３２に嵌装されるＵＳＢレセプタクル４と対向するように設けられている。そして、ＵＳＢレセプタクル嵌装部３２，３２にＵＳＢレセプタクル４が嵌装された際、開口部２０よりも筐体３の内方に所定距離だけ入り込んだ位置にＵＳＢレセプタクル４の先端部が位置するよう、前面パネル２と本体３ａの底面との間隔及びＵＳＢレセプタクル嵌装部３２，３２におけるＵＳＢレセプタクル４の固定高さ位置が考慮されている。また、開口部２０は、ＵＳＢレセプタクル４の先端部における外形状よりも大きく形成されており、開放状態にあるコネクタカバー５，５の先端部の存在下でＵＳＢプラグ１０の挿通を許容し得る大きさとされている。
【００２４】
コネクタカバー５，５は、相対峙する一対の部材から構成されたものであり、相互に点対称の形状とされているので、以下、一方の部材について説明する。このコネクタカバー５は、前面パネル２の開口部２０を開閉するカバー部５０と、これらカバー部５０の一端に設けられた第１アーム部５２と、カバー部５０の他端に設けられた第２アーム部５３と、カバー部５０の裏面側中央部に設けられたダボ部５１とを備えている。第１アーム部５２は、カバー部５０の一端から第２アーム部５３の厚み分だけ側方（カバー部５０の長手方向）にオーバーハングさせた状態でカバー部５０の内方側に向けて延出されている。一方、第２アーム部５３は、カバー部５０の他端からカバー部５０の内方側に向けてダイレクトに延出されている。第１アーム部５２の先端部の内面には枢着凸部５２ａが突設されている。一方、第２アーム部５３の先端部の外面には、第１アーム部５２の枢着凸部５２ａを受ける枢着凹部５３ｂが設けられるとともに、該先端部の内面には枢着凸部５３ａが突設されている。そして、このようになるコネクタカバー５同士を、お互いの第１アーム部５２と第２アーム部５３とが向き合うようにして、第１アーム部５２の枢着凸部５２ａをこれと対応する第２アーム部５３の枢着凹部５３ｂにそれぞれ嵌め入れることで、相互の第１アーム部５２及び第２アーム部５３の先端部を中心として開閉可能に連結されることとなる。さらに、コネクタカバー５，５のカバー部５０，５０には、その先端面に、挿入されるＵＳＢプラグ１０の先端部１０ａを受容する凹陥部５６が形成されている。これら凹陥部５６は、その底面が、これらカバー部５０，５０同士の衝合縁に向かって傾斜する傾斜面５５，５５とされている。このように構成すれば、ＵＳＢプラグ１０を挿入する際、よりスムーズにＵＳＢプラグ１０の先端部１０ａでコネクタカバー５，５，を押し開くことができる。
【００２５】
このように構成されたコネクタカバー５，５は、筐体３の本体３ａ内にカバー取付基盤６によって次のようにして取り付けられる。
【００２６】
まず、カバー取付基盤６について説明すると、この基盤６は、その中心部にＵＳＢレセプタクル４を挿通する矩形のＵＳＢレセプタクル挿通部６０を備えている。また、このＵＳＢレセプタクル挿通部６０の各短辺の側方には、外面側に枢着溝６２，６２を有する揺動基部６１，６１がそれぞれ配設されている。さらに該ＵＳＢレセプタクル挿通部６０の各長辺の背後には、それぞれダボ部６３，６３とネジ挿通孔６４，６４とが列設されている。
【００２７】
このようになるカバー取付基盤６によりコネクタカバー５，５を筐体３の本体３ａ内に取り付けるには、まず、コネクタカバー５，５を上記したように相互の第１アーム部５２及び第２アーム部５３の先端部を中心として開閉可能に連結しておいてから、各第２アーム部５３の枢着凸部５３ａ，５３ａを、それぞれカバー取付基盤６の各揺動基部６１，６１の枢着溝６２，６２内に嵌め入れる。次に、コネクタカバー５，５の各カバー部５０のダボ部５１，５１と、これらとそれぞれ対応するカバー取付基盤６のダボ部６３，６３との間にコイルスプリング７，７を介装する。そして最後に、予め本体３ａのＵＳＢレセプタクル嵌装部３２，３２に嵌装しておいたＵＳＢレセプタクル４の上方からカバー取付基盤６を被せるようにしてＵＳＢレセプタクル４の先端部をＵＳＢレセプタクル挿通部６０内に挿通させ、上方から固定ネジ３４，３４をカバー取付基盤６のネジ挿通孔６４，６４に挿通するとともにそれらの先端部をカバー取付基盤固定柱３３，３３の雌ネジ孔内に螺入し、これにより取付を完了する。
【００２８】
このあと、蓋体３ｂを本体３ａに被せるとともに、本体３ａの底面側からネジ挿通筒３０に固定ネジ３１を挿通してそれらを雌ネジ部２１に螺入することで本体３ａと蓋体３ｂとを一体化させ、これにより本考案に係るカバー付ＵＳＢコネクタが完成する。
【００２９】
この状態で、コネクタカバー５，５はコイルスプリング７，７の付勢力により各先端部（カバー部５０，５０）が常に開口部２０に突入することとなり、前面パネル２の開口部２０がコネクタカバー５，５，で閉鎖されることとなる。
【００３０】
−カバー付きＵＳＢコネクタ１の使用方法−
上記のように構成されるカバー付きＵＳＢコネクタ１にＵＳＢプラグ１０を挿入する際には、該ＵＳＢプラグ１０の先端部１０ａを上記カバー部５０，５０の凹陥部５６に、その傾斜面５５，５５に沿って押し入れることで該先端部１０ａがカバー部５０，５０を割り開く。それに伴い、図６に示すようにカバー部５０，５０がコイルスプリング７，７の付勢力に逆らって揺動基部６１，６１を中心に開口部２０から筐体３内部に揺動することによって該開口部２０が開放されるため、ＵＳＢプラグ１０の先端部１０ａを筐体３内のＵＳＢレセプタクル４に挿入することができる。
【００３１】
このとき、コネクタカバー５，５が枢着溝６２，６２を基点に揺動しつつ、該コネクタカバー５，５の枢着凸部５３ａ，５３ａが該枢着溝６２，６２をＵＳＢコネクタ１の挿入方向に摺動することにより、カバー部５０，５０が少ない揺動幅で該開口部２０から筐体３内部へ後退することができるため、該開口部２０のサイズを小さく抑えることができる。
【００３２】
上記のようにＵＳＢプラグ１０が挿入されたカバー付きＵＳＢコネクタ１から該ＵＳＢプラグ１０を引き抜くと、コイルスプリング７，７の付勢力によりコネクタカバー５，５のカバー部５０，５０が自動的に筐体３内部から開口部２０に突入するため、該開口部２０は閉鎖される。
【００３３】
＜第２実施形態＞
本考案の第２実施形態について、以下、図７乃至図１０を参照して説明する。
【００３４】
図７は、本考案の第２の実施形態に係るカバー付きＵＳＢコネクタを備えた筐体の斜視図である。図８は、図７におけるVIII−VIII線に沿う断面図である。図９は、図７のカバー付きＵＳＢコネクタを備えた筐体の分解斜視図である。図１０は、図７のカバー付きＵＳＢコネクタにＵＳＢプラグを挿入した際の断面図である。なお、第１実施形態と同一構成要素には同一符号を付している。
【００３５】
−カバー付きＵＳＢコネクタ１の構成−
本実施形態でも、上記第１実施形態と同様に、一つのＵＳＢレセプタクルを備えた扁平な直方体状の筐体に本考案を適用した場合を示している。このカバー付きＵＳＢコネクタ１は、図７乃至１０に示すように、ＵＳＢプラグ１０が挿通可能な矩形の開口部２０を有する前面パネル２と、前面パネル２の背後に、受口が開口部２０よりも後退した位置となるように配設されたＵＳＢレセプタクル４と、開口部２０の各長辺部に、前面パネル２の背後から開口部２０に向かって傾斜した姿勢で、且つ、各先端部が共に開口部２０に出没可能となるよう摺動可能に配設され、該各先端部が開口部２０に突入することにより開口部２０を閉鎖し、該各先端部が開口部２０から後退することにより前記開口部２０を開放する一対のコネクタカバー５，５と、各コネクタカバー５，５をそれらの先端部が常に開口部２０に向かう方向に付勢するコイルスプリング７，７（付勢手段）と、を備えている。以下、各部について詳述する。
【００３６】
筐体３は、上面が開口した本体３ａと、この本体３ａの上面開口を閉塞する蓋体３ｂとから構成されており、蓋体３ｂの天面が本考案における前面パネル２に相当する。本体３ａの四隅にはそれぞれネジ挿通筒３０が設けられる一方、蓋体３ｂの四隅にはそれらネジ挿通筒３０と対応する位置に雌ネジ部２１が設けられており、本体３ａの底面側からネジ挿通筒３０に固定ネジ３１を挿通してそれらを雌ネジ部２１に螺入することで本体３ａと蓋体３ｂとが一体化されるようになっている。また、本体３ａの底面中央部には、一対のＵＳＢレセプタクル嵌装部３２，３２が立設されるとともに、これらＵＳＢレセプタクル嵌装部３２，３２を結ぶ線と直交するように一対のスプリング固定柱３６，３６が立設されている。ＵＳＢレセプタクル嵌装部３２，３２には相互に対峙する面にそれぞれ縦溝３２ａが設けられており、ＵＳＢレセプタクル４に取着されたプリント配線基板４ａの両側縁部がこれら縦溝３２ａ，３２ａ内に嵌入固定されるようになっている。また、スプリング固定柱３６，３６の各先端面はそれぞれ内方側に下り勾配とされた傾斜面とされるとともに、これら各傾斜面にダボ部３５が突設されている。一方、蓋体３ｂの天面、すなわち前面パネル２には、前記した開口部２０が、ＵＳＢレセプタクル嵌装部３２，３２に嵌装されるＵＳＢレセプタクル４と対向するように設けられている。そして、ＵＳＢレセプタクル嵌装部３２，３２にＵＳＢレセプタクル４が嵌装された際、開口部２０よりも筐体３の内方に所定距離だけ入り込んだ位置にＵＳＢレセプタクル４の先端部が位置するよう、前面パネル２と本体３ａの底面との間隔及びＵＳＢレセプタクル嵌装部３２，３２におけるＵＳＢレセプタクル４の固定高さ位置が考慮されている。また、開口部２０は、ＵＳＢレセプタクル４の先端部における外形状よりも大きく形成されており、開放状態にあるコネクタカバー５，５の先端部の存在下でＵＳＢプラグ１０の挿通を許容し得る大きさとされている。さらに、開口部２０の各短辺部からは、支持板２２，２２が筐体３内に向かって垂設されており、これら支持板２２，２２には、上記コネクタカバー５，５を傾斜した姿勢で支える略二等辺三角形状の傾斜支持部２３，２３がそれぞれに設けられている。
【００３７】
コネクタカバー５，５は、略板状のカバー部５０，５０と、該カバー部５０，５０の後端部に設けられたダボ部５１，５１と、該カバー部５０，５０の両側部にそれぞれ設けられた摺接部５７を備えている。また、カバー部５０，５０には、その先端面に、挿入されるＵＳＢプラグ１０の先端部１０ａを受容する凹陥部５６が形成され、該凹陥部５６は、その底面が、これらカバー部５０，５０同士の衝合縁に向かって傾斜する傾斜面５５，５５とされている。
【００３８】
このように構成されたコネクタカバー５，５，は、それぞれその両側部の摺接部５７，５７において傾斜支持部２３，２３の傾斜面と開口部２０の開口縁との間で摺動自在に挟持されるとともに、その後端部のダボ部５１，５１と、スプリング固定柱３６，３６の各ダボ部３５，３５との間に介装されたコイルスプリング７，７により常に開口部２０を閉鎖する方向に付勢される。
【００３９】
本実施形態に係るカバー付きＵＳＢコネクタ１は、第１実施形態のカバー付きＵＳＢコネクタ１よりも簡易な構造となっているため、より容易に製造することができる。
【００４０】
−カバー付きＵＳＢコネクタ１の使用方法−
上記のように構成されるカバー付きＵＳＢコネクタ１にＵＳＢプラグ１０を挿入する際には、該ＵＳＢプラグ１０の先端部１０ａを上記カバー部５０，５０の凹陥部５６に、傾斜面５５，５５に沿って押し入れることで該先端部１０ａが該カバー部５０，５０を割り開く。それに伴い、図１０に示すように、カバー部５０，５０が、傾斜支持部２２，２２の傾斜面と開口部２０の開口縁との間に挟持された状態でコイルスプリング７，７の付勢力に逆らって開口部２０から筐体３内部に摺動することによって該開口部２０が開放されるため、ＵＳＢプラグ１０の先端部１０ａを筐体３内のＵＳＢレセプタクル４に挿入することができる。
【００４１】
上記のようにＵＳＢプラグ１０が挿入されたカバー付きＵＳＢコネクタ１から該ＵＳＢプラグ１０を引き抜くと、圧縮されていたコイルスプリング７，７の付勢力によりコネクタカバー５，５のカバー部５０，５０が自動的に筐体３内部から開口部２０に突入するため、該開口部２０は閉鎖される。
【００４２】
‐他の実施形態‐
本考案は、上記実施形態に限定されず、その精神又は主要な特徴から逸脱することなく他の様々な形で実施することができる。
【００４３】
上記実施形態では、カバー付きＵＳＢコネクタ１は内部にＵＳＢレセプタクル４のみを備えた筐体３に適用されているが、これに限らず、例えばパーソナルコンピューターの本体やハードディスクなどの記憶装置など、他の様々な電子機器類に適用してもよい。
【００４４】
上記実施形態では、ＵＳＢレセプタクル４の端子の短手方向における向きは、該ＵＳＢレセプタクル４がカバー部５０，５０に覆われているために筐体３の外見から判別することはできないが、該筐体３の開口部２０の周辺部又はカバー部５０，５０に該ＵＳＢレセプタクル４の端子の向きを示す表示やマーキングを施してもよい。
【符号の説明】
【００４５】
１  カバー付きＵＳＢコネクタ
２  前面パネル
４  ＵＳＢレセプタクル
５  コネクタカバー
７  コイルスプリング（付勢手段）
１０  ＵＳＢプラグ
１０ａ  先端部
２０  開口部
５２  第１アーム部（枢着部）
５３  第２アーム部（枢着部）
５５  傾斜面
５６  凹陥部
６１  揺動基部
６２  枢着溝
【図１】
0003204316.tif 000003
【図２】
0003204316.tif 000004
【図３】
0003204316.tif 000005
【図４】
0003204316.tif 000006
【図５】
0003204316.tif 000007
【図６】
0003204316.tif 000008
【図７】
0003204316.tif 000009
【図８】
0003204316.tif 000010
【図９】
0003204316.tif 000011
【図１０】
0003204316.tif 000012